(57)【要約】【課題】本体内部に収納される機能部品の取り付け作業を容易に行える空気調和装置の壁掛け型室内機を提供する。【解決手段】室内機１の本体２は、取り付けられる側壁面に面する背面部２ｃおよび背面部２ｃよりも横幅が大きい奥行き方向中央部２ｂを有する。機能部品であるステッピングモータ２５は、背面部２ｃの前方空間の端面と奥行き方向中央部２ｂの側面との間に形成される内部張出空間３３に配置される。内部張出空間３３にステッピングモータ２５を配することで、周囲に取り付け作業の障害になる他の部品を少なくして、ステッピングモータ２５の取り付け作業を容易にする。【選択図】図１８
2011099589.tif 000002
【特許請求の範囲】
【請求項１】
取り付けられる側壁面に面する背面部（２ｃ）、前記背面部よりも前方に設けられて前記背面部よりも横幅が大きい奥行き方向中央部（２ｂ）および前記奥行き方向中央部よりも前方に設けられる前面部（２ａ）を有する、本体（２）と、
前記背面部の前方空間（ＳＰ１）の端面（ＳＦ１，ＳＦ２）と前記奥行き方向中央部の側面との間に形成される内部張出空間（ＳＰ２，ＳＰ３，３３）に配置される、機能部品（２５）と
を備える、空気調和装置の壁掛け型室内機。
【請求項２】
前記本体は、少なくとも前記奥行き中央部の側面を形成する蓋部材（３０）を有する、
請求項１に記載の空気調和装置の壁掛け型室内機。
【請求項３】
前記本体に取り付けられている可動パネル（３）をさらに備え、
前記機能部品は、前記可動パネルを駆動する動力を発生し、または動力を伝達するための駆動部品である、
請求項１または２に記載の空気調和装置の壁掛け型室内機。
【請求項４】
前記駆動部品は、前記可動パネルに伝える駆動力を発生するアーム駆動モータ（２５）を含む、
請求項３に記載の空気調和装置の壁掛け型室内機。
【請求項５】
前記可動パネルは、停止時に、前記本体の側面の一部および前面を覆い、
前記可動パネルを支持するため、前記内部張出空間および／または前記内部張出空間の周囲近傍に連続的に繋がる近接空間（３３ａ）に配置される、パネル支持アーム（１５）をさらに備え、
前記アーム駆動モータは、前記パネル支持アームの側方の外側に配置される、
請求項３または請求項４に記載の空気調和装置の壁掛け型室内機。
【請求項６】
前記内部張出空間および／または前記内部張出空間の周囲近傍に連続的に繋がる近接空間（３３ａ）に配置される、受光部（４１）と、
前記内部張出空間および／または前記近接空間に設けられ、前記受光部の制御を行う制御部（４０）とをさらに備える、
請求項１から５のいずれかに記載の空気調和装置の壁掛け型室内機。
【発明の詳細な説明】
【技術分野】
【０００１】
本発明は、空気調和装置の壁掛け型室内機に関し、特に機能部品を本体内に収納している空気調和装置の壁掛け型室内機に関する。
【背景技術】
【０００２】
空気調和装置の壁掛け型室内機は、本体内に、室内側熱交換器を備え、クロスフローファンなどの送風ファンにより室内空気を本体内に吸込口から吸い込み、室内側熱交換器を通して本体外に調和空気を吹出口から吹き出している。そして、吹出口から吹き出される調和空気の風向を制御するために、左右方向の風向を調節する垂直羽根と上下方向の風向を調節する水平羽根が設けられるのが一般的である。
【０００３】
このように吹き出される空気の調和や風速・風向などを調節するために、モータやギアなどの可動部品や、可動部品の制御を行うために環境・動作状態などを検知するためのセンサや、制御回路を構成する電気部品などの種々の機能部品が必要になる。
【発明の概要】
【発明が解決しようとする課題】
【０００４】
ところが、従来の壁掛け型室内機では、壁に取り付けた時の圧迫感を少なくするため、例えば特許文献１（特開２００５−９８６７１号公報）などに記載されているように、略直方体の本体をケーシングで覆い、ケーシングで覆われた内部の容積をできるだけ少なくする構成が採られる。そのため、壁掛け型室内機では種々の部品や部材が狭い空間に密集して配置され、機能部品の周囲にも種々の部品が配される。壁掛け型室内機内の機能部品については、上述のような状況にあるため、組立における機能部品の取付作業が困難になる。
【０００５】
本発明の課題は、本体内部に収納される機能部品の取り付け作業を容易に行える空気調和装置の壁掛け型室内機を提供することにある。
【課題を解決するための手段】
【０００６】
第１発明に係る空気調和装置の壁掛け型室内機は、本体と機能部品とを備えている。本体は、取り付けられる側壁面に面する背面部、背面部よりも前方に設けられて背面部よりも横幅が大きい奥行き方向中央部および奥行き方向中央部よりも前方に設けられる前面部を有する。機能部品は、背面部の前方空間の端面と奥行き方向中央部の側面との間に形成される内部張出空間に配置される。
【０００７】
本発明によれば、内部張出空間に機能部品を配しているので、周囲に取り付け作業の障害になる他の部品が少なくなる。そのため、周囲に障害物のない状態で機能部品の取り付け作業を行うことができる。
【０００８】
第２発明に係る空気調和装置の壁掛け型室内機は、第１発明の空気調和装置の壁掛け型室内機であって、本体は、少なくとも奥行き中央部の側面を形成する蓋部材を有する。
【０００９】
本発明によれば、蓋部材を取り外すと、機能部品を簡単に露出させることができて、しかも機能部品の周囲に障害となる他の部品がない状態が現れる。そのため、機能部品の取り付け作業やメンテナンスを行うことができる領域や方向が広がる。
【００１０】
第３発明に係る空気調和装置の壁掛け型室内機は、第１発明または第２発明の空気調和装置の壁掛け型室内機であって、本体に取り付けられている可動パネルをさらに備える。機能部品は、可動パネルを駆動する動力を発生し、または動力を伝達するための駆動部品である。
【００１１】
本発明によれば、駆動部品が内部張出空間に配置されることで、本体の真横などの一方方向からだけでなく、前方や後方などからも動作の確認や動作を調節する作業が行えるようになる。
【００１２】
第４発明に係る空気調和装置の壁掛け型室内機は、第３発明の空気調和装置の壁掛け型室内機であって、駆動部品は、パネル支持アームに伝える駆動力を発生するアーム駆動モータを含む。
【００１３】
本発明によれば、アーム駆動モータは、発生させた駆動力を適切に可動パネルに伝達するよう注意して取り付けられなければならない。従って、このように取り付けに注意を要するアーム駆動モータを内部張出空間に配置することでアーム駆動モータの取り付け作業の作業性が向上する。
【００１４】
第５発明に係る空気調和装置の壁掛け型室内機は、第４発明の空気調和装置の壁掛け型室内機であって、可動パネルは、停止時に、本体の側面の一部および前面を覆う。そして、可動パネルを支持するため、内部張出空間および／または内部張出空間の周囲近傍に連続的に繋がる近接空間に配置される、パネル支持アームをさらに備える。そして、アーム駆動モータは、パネル支持アームの側方の外側に配置される。
【００１５】
本発明によれば、アーム駆動モータとパネル支持アームを配置する作業を一緒に行うことができる。
【００１６】
第６発明に係る空気調和装置の壁掛け型室内機は、第１発明から第５発明のいずれかの空気調和装置の壁掛け型室内機であって、受光部と、受光部の制御を行う制御部とを備える。受光部は、内部張出空間および／または内部張出空間の周囲近傍に連続的に繋がる近接空間に配置される。制御部は、内部張出空間および／または近接空間に設けられ、受光部の制御を行う。
【００１７】
本発明によれば、内部張出空間を通して受光部で赤外線などの光を受光することができるので、受光部が本体外部から離れて配置できるため本体外部の影響を受け難くなるとともに、内部張出空間に受光部と制御部が配置されるので受光部とその制御部の取り付け作業や交換作業などが行い易くなる。
【発明の効果】
【００１８】
第１発明の空気調和装置の壁掛け型室内機においては、機能部品の取り付け作業が容易になる。
【００１９】
第２発明の空気調和装置の壁掛け型室内機においては、蓋部材を取り外すことができるため、機能部品の取り付け作業やメンテナンスを行うことができる領域や方向が広がり、作業効率やメンテナンスの作業の容易性が向上する。
【００２０】
第３発明の空気調和装置の壁掛け型室内機においては、駆動状態の確認や駆動部品の取り付けが容易になり、取り付け作業やメンテナンスの時間を短縮することができる。
【００２１】
第４発明の空気調和装置の壁掛け型室内機においては、アーム駆動モータの取り付け作業やメンテナンスが容易になる。
【００２２】
第５発明の空気調和装置の壁掛け型室内機においては、２つの作業を集約することができ、作業効率を向上させることができる。
【００２３】
第６発明の空気調和装置の壁掛け型室内機においては、パネル支持アームに対する視認性が向上することから、取り付け作業やメンテナンス作業の容易性がさらに向上する。
【図面の簡単な説明】
【００２４】
【図１】本発明の一実施形態に係る空気調和装置の壁掛け型室内機の正面図。
【図２】図１の壁掛け型室内機の平面図。
【図３】図１の壁掛け型室内機の側面図。
【図４】図１の壁掛け型室内機の内部張出空間を説明するための斜視図。
【図５】図１の壁掛け型室内機の斜視図。
【図６】図１の壁掛け型室内機の可動パネルを上に移動した状態を示す正面図。
【図７】図６の壁掛け型室内機の側面図。
【図８】図６の壁掛け型室内機の平面図。
【図９】図６の壁掛け型室内機の斜視図。
【図１０】図６の壁掛け型室内機の斜視図。
【図１１】図１の壁掛け型室内機の可動パネルを取り外した状態を示す側面図。
【図１２】運転停止時のパネル支持アームの周辺の構造を示す側面図。
【図１３】移動途中のパネル支持アームの周辺の構造を示す側面図。
【図１４】運転時のパネル支持アームの周辺の構造を示す側面図。
【図１５】可動パネルの移動の軌跡を説明するための側面図。
【図１６】図１の壁掛け型室内機の可動パネルを取り外した状態を示す正面図。
【図１７】図１６の壁掛け型室内機の平面図。
【図１８】図１７のＡ−Ａ線断面図の側面図。
【図１９】図１の壁掛け型室内機の内部張出空間を説明するための断面図。
【図２０】図１６の壁掛け型室内機から蓋部材を取り外した状態を示す斜視図。
【図２１】図２０の壁掛け型室内機の側面図。
【図２２】（ａ）蓋部材の正面図、（ｂ）蓋部材の右側面図、（ｃ）蓋部材の背面図、（ｄ）蓋部材の左側面図。
【図２３】（ａ）図２２の蓋部材の平面図、（ｂ）蓋部材の底面図、（ｃ）図２２（ａ）のＢ−Ｂ線断面図。
【発明を実施するための形態】
【００２５】
＜空気調和装置の概要＞
本発明の一実施形態に係る空気調和装置の壁掛け型室内機は、室外に設置される室外機に冷媒配管によって接続されて、室外機とともに空気調和装置の冷媒回路を構成する。また、壁掛け型室内機は、伝送線路によって室外機と接続されており、室外機と一体になって動作を行う。そのために、壁掛け型室内機の内部には、制御回路や電気部品が実装されるプリント配線基板などが設置される。
【００２６】
＜壁掛け型室内機の外観＞
図１は、運転停止状態の壁掛け型室内機の正面図であり、図１の壁掛け型室内機の平面および側面が図２および図３に示されている。以下の説明では、壁掛け型室内機１を略して室内機１という。また、室内機１の本体２の前面２Ｆに向かって右側が室内機１の左であり、向かって左側が室内機１の右である。
【００２７】
図１乃至３に示す室内機１は、前面２Ｆと、左右の側面２Ｓと、背面２Ｂと、上面２Ｕと、底面２Ｄとを有する本体２の中に、熱交換器（図示省略）や送風機（図示省略）が設置されて構成される。本体２の形状は、正面視において水平方向（横方向）に長い長方形であり、側面視において鉛直方向に長い長方形であり、平面視において前面２Ｆと背面２Ｂが平行で側面２Ｓの中央が大きく横方向に張り出した横長の形状である。本体２の背面２Ｂには、取付部（図示省略）が設けられている。そして、本体２の背面２Ｂは、室内機１が壁面に取り付けられたときに、壁面に面する。
【００２８】
図４は、室内機１を、室内機１の左前方斜め上から見たときの室内機１の輪郭を示す斜視図である。この図４を用いて内部張出空間について説明する。図４に示されているように、室内機１の本体２は、奥行き方向において３つの部分に分けることができる。すなわち、本体２は、取り付けられる壁面に面する背面２Ｂ近傍の背面部２ｃと、背面部２ｃの前方にある奥行き方向中央部２ｂと、奥行き方向中央部２ｂの前方にある前面部２ａとからなる。前面部２ａおよび背面部２ｃは、本体２の前面２Ｆや背面２Ｂの近傍にある極めて薄い空間である。例えば、前面部２ａおよび背面部２ｃの奥行きは、前面２Ｆや背面２Ｂから５ｍｍ程度であり、ケーシング６の厚み程度のものである。
【００２９】
背面部２ｃの前方の奥行き方向中央部２ｂには、前方空間ＳＰ１がある。前方空間ＳＰ１は、背面部２ｃと同じ高さと同じ横幅を有している。この前方空間ＳＰ１は、左右に端面ＳＦ１，ＳＦ２を有している。これら端面ＳＦ１，ＳＦ２は、図４において一点鎖線と二点鎖線と２本の点線で囲まれた矩形の面であり、本体２の側面２Ｓに対向している面である。
【００３０】
奥行き方向中央部２ｂは、前方空間ＳＰ１と、この前方空間ＳＰ１よりも左に張り出した内部張出空間ＳＰ２と、この前方空間ＳＰ１よりも右に張り出した内部張出空間ＳＰ３とからなる。内部張出空間ＳＰ２は、前方空間ＳＰ１の左の端面ＳＦ１と本体２の左の側面２Ｓとの間にある空間である。図４においては、この内部張出空間ＳＰ２の上面と下面に斜線が付されている。内部張出空間ＳＰ２と対称な形をした内部張出空間ＳＰ３が右の端面ＳＦ２と右の側面２Ｓとの間に形成されている。これら内部張出空間ＳＰ２，ＳＰ３の少なくとも一方に機能部品が配置される。なお、内部張出空間ＳＰ２，ＳＰ３に近接する近接空間については後述する。
【００３１】
図１に示されているように、室内機１は、本体２の前面２Ｆの全体および側面２Ｓの一部を覆う可動パネル３を備えている。この可動パネル３は、本体２の前面２Ｆに沿って、全体を覆う平坦な前面部３ａと、滑らかに湾曲して本体２の左右の側面２Ｓに沿って側面２Ｓの一部を覆う側面部３ｂとからなる。可動パネル３の側面部３ｂは、図２に示すように、上面視において円弧状に湾曲している。
【００３２】
図１から分かるように、正面から見えるのは、可動パネル３のみである。正面から眺めたときには、主に可動パネル３の平坦な前面部３ａが見えて、壁が浮き出したような印象を与えるため、室内に居る居住者への圧迫感を軽減することができる。さらに、可動パネル３の側面部３ｂが弧を描いて滑らかに湾曲しているため、前面部３ａと側面部３ｂの間に稜線が存在せず、稜線が鮮明に見えるものと比べて居住者から室内機１を目立たなくすることができる。
【００３３】
側面部３ｂは、図２および図３から分かるように、奥行き方向中央部２ｂの最も横に広がったところまで延びている。そして、側面部３ｂよりも後方の本体２の側面２Ｓには、化粧板４が形成されている。可動パネル３と化粧板４とがつき合わされる部分において、可動パネル３の側面部３ｂの端部と化粧板４の端部で段差が出来ないように、可動パネル３の側面部３ｂの表面と化粧板４の表面の位置を一致させている。そのため、室内機１の正面視においては、可動パネル３と化粧板４との継ぎ目は見えない。
【００３４】
可動パネル３の側面部３ｂと化粧板４で構成される本体２の側面２Ｓは、化粧板４の部分において、徐々に本体２の横幅が小さくなる。そのため、化粧板４は、平面視において本体２の左の側面２ＳがＳ字状に緩やかな湾曲しており、右の側面２Ｓが逆Ｓ字状に緩やかに湾曲している。
【００３５】
このように、奥行き方向中央部２ｂの横幅が背面部２ｃに比べて大きくなっているため、奥行き方向中央部２ｂの部分の側面２Ｓの内側には、内側張出空間が形成される。
【００３６】
この化粧板４は、本体２が有する蓋部材３０に取り付けられている（図２参照）。そして、この蓋部材３０は、本体２を覆うケーシング６に取り付けられている。ケーシング６は、図２に示すように、本体２の上面２Ｕにおいては格子状のグリル６ｂを有しており、このグリル６ｂの部分に第１吸込口７が形成されている。
【００３７】
図５は、室内機１を、室内機１の左斜め下から見た斜視図である。本体２は、下面２Ｄにケーシング６の底面を有している。ケーシング６の底面には、吹出口９が形成されている。この吹出口９は、本体２の底面２Ｄだけでなく、前面２Ｆにも形成されているが、この点については後述する。吹出口９から吹き出される調和空気の上下方向の風向を調節するため、吹出口９にはフラップ１０が設けられている。運転停止時には、フラップ１０は、図５に示すように吹出口９を塞ぐ。しかも、フラップ１０が吹出口９を塞いでいる状態で、フラップ１０の表面とケーシング６の底面の表面が面一になるように、互いの表面の位置が揃えられている。また、本体２の底面２Ｄには、左側に、側面２Ｓの形状に沿うように、比較的径の大きな円形の押しボタンスイッチ１１が設けられる。この押しボタンスイッチ１１により、電源のオンオフが行われる。電源のオンオフばかりでなく、この押しボタンスイッチ１１は、赤外線を透過する材質で形成されており、押しボタンスイッチ１１を透過した赤外線を本体２の内部で受光できるよう構成されている。また、押しボタンスイッチ１１の周囲のリング１１ａは、光を透過する材質で形成されており、本体２の内部に設けられた発光ダイオードの光を外部に透過することができる。赤外線の受光部や発光ダイオードの配置については後述する。
【００３８】
＜可動パネルを上げた状態の室内機の外観＞
可動パネル３は、運転時において最上点まで上昇し、運転停止時において最下点まで下降する。従って、室内機１の可動パネル３が静止するのは、最上点と最下点の２箇所である。図６乃至図１０は、室内機１が運転状態になり、可動パネル３が上に持ち上げられた状態を示している。図６は室内機１の正面図であり、図７は室内機１の側面図であり、図８は室内機１の平面図であり、図９は室内機１を、室内機１の前方左斜め上方から見た斜視図であり、図１０は室内機１を、室内機１の後方左斜め上方から見た斜視図である。
【００３９】
図６に示すように、可動パネル３が最上点に移動することにより、ケーシング６の下方に形成された第１開口部９ａが正面から見える状態になる。図５を示して先にも説明した吹出口９は、この第１開口部９ａと、ケーシング６の底面に形成されているがフラップ１０で覆うことのできる第２開口部９ｂとからなる。これら第１開口部９ａと第２開口部９ｂは、つながっており、本体２内に設けられて斜め下方に向かう吹出通路（図示省略）の出口にあたる。図６では、第２開口部９ｂがフラップ１０で閉鎖されているが、図９では、フラップ１０が回転して吹出通路内に位置するために第２開口部９ｂが開放されている。運転時においては、少なくとも第１開口部９ａを開放するために、可動パネル３の下端部３ｃは、第１開口部９ａの上辺の位置よりも上まで上昇する。
【００４０】
また、可動パネル３の下端部３ｃが第１開口部９ａの上辺よりも上に位置した状態において、ケーシング６の前面６ａに設けられている人検知センサ１２が現れて人検知が可能な状態になる。
【００４１】
可動パネル３が上方に移動する際には、下端部３ｃの前後に移動する距離が少なく、上端部３ｄの前方への移動距離が長くなる。そのため、図７に示すように、側面から見ると、上端部３ｄが下端部３ｃよりも前方に移動し、可動パネル３が前方に傾斜する。それにより、可動パネル３の背面３ｅとケーシング６の前面６ａとの間に開口部１３が形成される。図６や図９では、可動パネル３の陰になって見えないが、ケーシング６の前面６ａに第２吸込口が設けられている。開口部１３が形成されることにより、ケーシング６の前面６ａに設けられた第２吸込口から室内空気を吸込むことが可能になる。なお、第２吸込口については、後述する図１６に示す。
【００４２】
このように、漏斗のように上部が広がった開口部１３から下方に向かって室内空気が吸い込まれるため、可動パネル３の下端部３ｃの近傍で可動パネル３を挟んで、第２吸込口から吸込まれる室内空気の流れと、吹出口９から吹き出される調和空気の流れとが発生する。そのため、可動パネル３の下端部３ｃとケーシング６の前面６ａとの間の隙間が大きいと、調和空気が室内空気の流れに引き込まれたり、逆に可動パネル３の背面側を流れる室内空気が調和空気の流れに引き込まれたりして結露が生じるなどの不具合が発生する原因ともなる。そこで、可動パネル３が最上点に達するときに、可動パネル３の下端部３ｃをケーシング６の前面６ａの方に引き寄せるような動作が行われる。
【００４３】
また、同様の理由から、可動パネル３の変形によって、可動パネル３の下端部３ｃとケーシング６の前面６ａとの間に隙間が生じることは好ましくない。可動パネル３には、プラスチックやアルミニウムとプラスチックを張り合わせたものなど比較的剛性の高くかつ軽い材料が用いられる。しかし、そのような隙間の発生を防止するには可動パネル３を構成する板状の部材の剛性だけでは不十分なため、さらに剛性を高める目的で、図８や図１０に示すように、ステンレス製の中空の金属棒１４などが可動パネル３の前面部３ａの裏側に取り付けられる。
【００４４】
＜可動パネルの支持＞
可動パネル３は、図８や図１０に示すように、ラックギアが形成されているパネル支持アーム１５によって支えられている。パネル支持アーム１５は、後述するステッピングモータからラックギアに駆動力が伝達されることにより移動する。
【００４５】
既に説明したように室内機１に優れた外観を与えるため、本体２の前面２Ｆの全体ばかりでなく、本体２の側面２Ｓの一部をも覆うように構成される可動パネル３は、重いものとなる。それに加えて、室内空気を第２吸入口から吸込むために、許容される変形量が制限されることから、高い剛性を要求されており、可動パネル３は、さらに自重を増す傾向にある。そして、可動パネル３を単に上下にスライドさせるだけでなく、複雑な動作を要求されることから、パネル支持アーム１５などの可動パネル３の支持部材に掛かる負担は大きくなる。
【００４６】
可動パネル３を外した室内機１の側面図を図１１に示す。図１１に示されている状態は、可動パネル３が最上点で静止している図７の状態から、可動パネル３をパネル支持アーム１５より取り外したものである。
【００４７】
図１２、図１３および図１４には、パネル支持アーム１５の構造と動作を説明するために、パネル支持アーム１５とその周辺の部品を含む部分を抜き出して示している。図１２には、運転停止時にあって可動パネル３が最下点にある状態（閉じている状態）が示され、図１４には、運転時にあって可動パネル３が最上点にある状態（開いている状態）が示されている。そして、図１３には、図１２の状態から図１４の状態への移行途中あるいは逆に図１４の状態から図１２の状態への移行途中の状態が示されている。
【００４８】
図１２乃至図１４に示す可動パネル３は、アルミニウム板３ｍとプラスチック板３ｎの張り合わせ構造を有している。このプラスチック板３ｎの背面側には、パネル支持アーム１５と連結するための第１連結部１６ａと第２連結部１６ｂが設けられる。可動パネル３の上端部３ｄ近傍に設けられる第１連結部１６ａは、パネル支持アーム１５の上部に設けられる開口部１５ａと連結する。他方、第２連結部１６ｂは、可動パネル３の下端部３ｃを基準として可動パネル３の高さの約４分の１の高さのところに設けられている。この第２連結部１６ｂは、パネル支持アーム１５の下部に設けられている連結部１５ｂに連結される。可動パネル３とパネル支持アーム１５は、上述の連結を行ったり解いたりすることで着脱ができるように構成されている。
【００４９】
パネル支持アーム１５は、上部に行くほど幅が狭くなる三角定規に似た板状の部品で構成され、可動パネル３が密着する辺１５ｃに対して同様の角度を持って形成された長穴状の第１摺動開口１５ｄと第２摺動開口１５ｅとが形成される。また、辺１５ｃから最も遠いパネル支持アーム１５の頂点にローラー１５ｆが取り付けられる。
【００５０】
このパネル支持アーム１５は、２枚の板状部材を合わせて構成される薄いケース１７に収納されている。この薄いケース１７を構成する一方の板状部材１８には、第１摺動開口１５ｄを摺動できるように第１摺動開口１５ｄ内に嵌っている円柱状の第１支持部材２０ａと、第２摺動開口１５ｅを摺動できるように第２摺動開口１５ｅ内に嵌っている円柱状の第２支持部材２０ｂとがビス止めされている。そして、板状部材１８の周囲に、ローラー１５ｆが当たりながら動くガイド部１８ａが形成されている。
【００５１】
このガイド部１８ａには、直線状に伸びるガイド壁１８ａ１と、ガイド壁１８ａ１の上部に続く凹部１８ａ２が含まれる。ガイド壁１８ａ１を延長した直線に対して、凹部１８ａ２の方が辺１５ｃよりも遠いところに位置する。また、第２摺動開口１５ｅは、長い上部開口１５ｅ１と非常に短い下部開口１５ｅ２からなる。上部開口１５ｅ１が上方に行くほど辺１５ｃに近づくように延びているのに対し、下部開口１５ｅ２は上方に行くほど辺１５ｃから遠ざかる方向に延びる。
【００５２】
ガイド部１８ａが凹部１８ａ２を持ち、第２摺動開口１５ｅが下部開口１５ｅ２を持っているため、可動パネル３は複雑な動きをする。第２摺動開口１５ｅの上部開口１５ｅ１を上から下に向けて第２支持部材２０ｂが摺動しているときには、可動パネル３が上方に移動しつつ可動パネル３の上端部３ｄがケーシング６の前面６ａから大きく離れる一方、下端部３ｃが前面６ａから少し離れる。そして、第２支持部材２０ｂが下部開口１５ｅ２に入ると、ローラー１５ｆが凹部１８ａ２に入り込む。そのとき、パネル支持アーム１５は、第１支持部材２０ａを中心に回動しつつ移動し、可動パネル３の上端部３ｄはケーシング６の前面６ａからさらに大きく離れるような動きをする一方、下端部３ｃは逆に前面６ａに近づくような動きをする。この可動パネル３の動きの軌跡を図１５に示す。
【００５３】
このパネル支持アーム１５は、図１２乃至図１４に示されている被駆動ギア２１からパネル支持アーム１５のラックギアに駆動力が伝達されることにより移動する動作を行う。被駆動ギア２１には、後述するステッピングモータの駆動軸に連結されている駆動ギア２２から動力が伝達される。これら被駆動ギア２１および駆動ギア２２は、薄いケース１７内部に取り付けられ、被駆動ギア２１がパネル支持アーム１５のラックギアと噛み合う。
【００５４】
上述のような重い可動パネル３と、複雑な動きをするパネル支持アーム１５とが適切に動作するように取り付ける作業は、周囲に他の部材が密集していると難しくなる。そのため、室内機１においては、パネル支持アーム１５などの部材が、本体２の奥行き方向中央部２ｂの内部張出空間に設けられる。
【００５５】
＜パネル支持アーム１５の設置場所＞
次に、図１２乃至図１４を用いて説明したパネル支持アーム１５とその周囲の部材の設置場所について説明する。図１６および図１７には、室内機１の可動パネル３を取り外した状態が示されている。図１６は室内機１の正面図であり、図１７は室内機１の平面図である。
【００５６】
図１６に示すように、第２吸込口２７がケーシング６の前面６ａに設けられている。第２吸込口２７は、第１吸込口７と同様に、少し本体２の右に寄っている。このことから、第２吸込口２７に吸込まれる室内空気から可動パネル３が受ける力は、本体２の右側の方が少し大きくなることが分かる。可動パネル３に掛かる力が左右で異なる場合であっても、左右に設けられているパネル支持アーム１５で支える位置がずれてはいけない。そのためにも、パネル支持アーム１５の取り付けが重要になる。
【００５７】
パネル支持アーム１５は、図１６に示されている張出領域２ｄ，２ｅに対応する位置に配置されている。正面視において、この張出領域２ｄ，２ｅの位置は、可動パネル３の側面部３ｂの位置に重なる。張出領域２ｄ，２ｅには蓋部材３０が取り付けられ、本体２は、蓋部材３０の分だけケーシング６よりも横方向に張り出した形状を呈している。この蓋部材３０は、ビス３１によって、ケーシング６に固定される。また、図１２乃至図１４において説明したパネル支持アーム１５とその周囲の部材は、ビス３２によってケーシング６に固定される。
【００５８】
図１６のＡ−Ａ断面図を図１８に示す。また、ビス３１を取り、蓋部材３０を外した状態を図２０および図２１に示す。図２０は、室内機１の前方左斜め上方から見た斜視図であり、図２１は、室内機１の左から見た側面図である。
【００５９】
図１８に示すように、蓋部材３０とケーシング６との間において、奥行き方向中央部２ｂに対応する部分に大きな内部張出空間３３が形成される。この内部張出空間３３があるためにステッピングモータ２５を薄いケース１７の側方外側に配置することができる。このケース１７は、板状部材１８と透明の板状部材１９を合わせて構成される。この透明の板状部材１９にステッピングモータ２５が嵌め込まれている。図１８から分かるように、断面が洋梨のように扁平な下膨れの円形をした円筒を縦に２分割した形状を蓋部材３０が有していて、比較的余分な空間が本体２の内部に形成されていない。例えば、二点鎖線で示したような形状であると、本体２の背面２Ｂに近いところに余分な大きな空間３４が形成される。このような余分な空間を削り落として、膨出した蓋部材３０の形状を滑らかに湾曲させることで、本体２の側面２Ｓの形状を、居住者に対して圧迫感の少ない外観に仕上げることができている。
【００６０】
蓋部材３０を取り外すと、図２０に示すように、ステッピングモータ２５およびパネル支持アーム１５の周囲の構造が立体的に露出する。それにより、ステッピングモータ２５およびパネル支持アーム１５の周囲の構造をケーシング６の側面に取り付ける作業が容易になる。つまり、ステッピングモータ２５が取り付けられた薄いケース１７ごと、板状部材１８をケーシング６にビス止めすることができ、ケーシング６の側壁６ｃのように平らな所に平らな薄いケース１７を取り付けるのは簡単である。
【００６１】
このように、組立が完了した後においても、蓋部材３０を取り外すと、ステッピングモータ２５とパネル支持アーム１５周りの全体を立体的に露出させることができる。そのため、工具を差し込む方向の制限が少なくなり、メンテナンス作業も容易になる。
【００６２】
また、透明な板状部材１９がパネル支持アーム１５の外側側面を覆っているため、パネル支持アーム１５、被駆動ギア２１、駆動ギア２２、およびステッピングモータ２５などの駆動部品の動きを透明な板状部材１９を透して見て確認することができる。
【００６３】
パネル支持アーム１５の位置を検知するため、ケース１７には、リミットスイッチ２６が設けられている。パネル支持アーム１５には、段差のついた板状片２８が取り付けられており（図２１参照）、板状片２８がパネル支持アーム１５と一緒に移動する。この板状片２８の段差をリミットスイッチ２６が検知することで、リミットスイッチ２６による位置検出を行っている。
【００６４】
上述のように、可動パネル３の支持構造においては、ローラー１５ｆが凹部１８ａ２に入ることで、可動パネル３の支持が補助されている。一旦、ローラー１５ｆが凹部１８ａ２に入ると、ローラー１５ｆが凹部１８ａ２から出るためには、凹部１８ａ２とガイド壁１８ａ１との高低差を越えなければならなくなるため、支持を補助できるのである。従って、リミットスイッチ２６では、ローラー１５ｆが凹部１８ａ２に入る位置までパネル支持アーム１５が確実に移動したこと（最上点に達していること）を検知する必要がある。このようなことから、リミットスイッチ２６や板状片２８を正しい配置位置に正確に設定することが必要になる。内部張出空間３３を使うことで、パネル支持アーム１５を収納したケース１７ごとリミットスイッチ２６や板状片２８を設置できるので、取り付けが簡単で正確に行える。また、メンテナンス時には、ケース１７の周辺の部材が立体的に露出するため、工具や人の手による調整や部品の取替えが簡単に行える。
【００６５】
内部張出空間３３とそれに近接する空間にかけて、ステッピングモータ２５以外にも、図２１に示すように、電気部品が実装されたプリント配線基板４０（機能部品）が配置される。プリント配線基板４０は、押しボタンスイッチ１１の上方に配置されている。このプリント配線基板４０には、赤外線を受光する受光素子４１が搭載され、その制御部が形成されている。受光素子４１は、押しボタンスイッチ１１の中心点の真上に配置される。このようなプリント配線基板４０の取り付けやメンテナンスが容易になるのは、パネル支持アーム１５やステッピングモータ２５などの機能部品の取り付けやメンテナンスが容易になるのと同様である。
【００６６】
また、押しボタンスイッチ１１の周囲にあるリング１１ａの上方には、異なる発光色の発光ダイオード４２が配置されている。この発光ダイオード４２もプリント配線基板４０に搭載されている。そして、暖房や冷房などの運転の違いを発光色で伝達するため、種々の色に押しボタンスイッチ１１の周囲のリング１１ａを光らせることができるよう構成されている。このような発光ダイオード４２や受光素子４１のメンテンナンスも機能部品のメンテナンスである。
【００６７】
次に、図１９を用いて、近接空間について説明する。図１９は、図１８からパネル支持アーム１５やその周辺の部材およびステッピングモータ２５などの部品を取り除いた状態の断面図である。図中の一点鎖線は、背面部２ｃの左端を基点として前方へ延びている。室内機１の場合には、蓋部材３０の背面側の一部も背面部２ｃを構成している。本体２の側面２Ｓを構成しているのは蓋部材３０であって、ケーシング６の側壁６ｃと蓋部材３０との間に空間が形成されている。本来は、側壁６ｃと蓋部材３０の間に形成された空間が膨出された空間であるが、用語の範囲を明確にするために、図中の一点鎖線よりも外側の空間を内部張出空間３３と定義している。しかし、内部張出空間３３に連続的に繋がってかつ近接する近接空間３３ａに機能部品を配置した場合も内部張出空間３３に配置した場合と同様の働きが期待できる。たとえ内部張出空間３３に近接していても、例えば側壁６ｃを越えたケーシング６の内側の空間は、内部張出空間３３と同じ働きを期待できないことが明らかであり、近接空間３３ａではない。また、たとえ連続してもあまり離れていては同じ働きを期待できない。従って、近接空間３３ａの厚み（内部張出空間３３から最も遠いところまでの距離）は、通常の壁掛け型室内機１において用いられる機能部品の大きさを考慮すれば、好ましくは２〜４ｃｍ程度、さらに好ましくは２ｃｍ未満である。
【００６８】
＜蓋部材の構造＞
室内機１の左側面を構成する左側の蓋部材３０の六面図および段面図を図２０および図２３に示す。すなわち、図２０（ａ）は蓋部材３０の正面図、図２０（ｂ）は右側面図、図２０（ｃ）は背面図、そして図２０（ｄ）が左側面図である。また、図２３（ａ）は平面図、図２３（ｂ）は底面図、そして図２３（ｃ）はＢ−Ｂ線断面図である。
【００６９】
既に説明したように、蓋部材３０が立体的形状を有することおよび、その蓋部材３０が本体２の側面２Ｓに配置されることによって、内部張出空間３３が形成される。できるだけ、室内機１の本体２の外形を小さくするため、余分な空間を本体２の内部に設けないことが好ましいことから、蓋部材３０の形状は、ステッピングモータ２５がちょうど納まるようにステッピングモータ２５の近傍では外に向かって凸の滑らかな曲線を描く。図２３（ａ）を用いて平面視した場合の蓋部材３０の形状を説明すると、まず、背面２Ｂ側の始端から前面２Ｆ側の終端に向かうに従って徐々に側面が本体２の幅方向に膨らむ。次に、約３分の１のこと頃すぎたところから前面２Ｆに至る部分は略半円形の弧を描く。そして、背面２Ｂの始端と前面２Ｆの終端は、本体２の幅方向（横方向）においてほぼ同じ位置にある。そのため、機能部品を収納するのに十分な内部張出空間３３が略半円形の弧の内側に形成される。さらに詳細に見ると、蓋部材３０が最も張り出すところに段差が形成されている。この段差は、可動パネル３と化粧板４との外面を面一にするために形成されているものである。
【００７０】
図２３（ａ）と図２３（ｂ）と図２３（ｃ）とを比較すると、蓋部材３０は、本体２の高さ方向には直線状のシルエットを持っていることが分かる。これは、デザインに依存するところが大きく、例えば、本体２の上部の内部張出空間３３に余裕があれば、図２３（ｂ）の下面の形状よりも図２３（ａ）の上面の形状を小さくするような構成を取ることも可能である。柔らかな曲線で、内部張出空間３３に設けられるステッピングモータ２５などの機能部品を無駄な内部空間を排除しつつ蓋部材３０のような側面外郭で包むことで、居住者に与える圧迫感を軽減することができる。それと同時に、内部張出空間３３に配置される機能部品の組み立てが容易になる。
【００７１】
この蓋部材３０には、背面側に掛止爪３５が設けられている。この掛止爪３５をケーシング６の所定の穴に差し込み、ビス３１を穴３６に差し込んでケーシング６のネジ穴にねじ込むことで、簡単に蓋部材３０をケーシング６に装着することができる。そして、蓋部材３０の裏面側には、蓋部材３０の補強のためにリブ３７が形成されている。
【００７２】
＜変形例＞
（１）上記実施形態では、本体２の側面２Ｓを取り外すことができる蓋部材３０で構成している。しかし、本体２の側面２Ｓは、取り外すことができないものであってもよく、例えばケーシング６で本体２の側面２Ｓを構成してもよい。この場合、メンテナンスの利便性は低下するが、従来に比べればメンテナンスは容易であり、また、取り付け作業も従来より容易になる。従来、ケーシングを外すと、側面に密集した部品が平面状に広がることになるのに対し、上記実施形態のように張り出した側面形状を持たせれば、張り出した側面形状に合わせて密集した部品が広がる。従って、上記実施形態のように側面を凸状に湾曲させることにより、密集した部品の形状が側面形状に沿って立体的になるため、工具や人の手が入り易くなる部分ができる。それにより、取り付け作業、引いてはメンテナンス作業の効率が改善されることになる。
【００７３】
（２）上記実施形態では、内部張出空間３３が、本体２の高さ方向の下面２Ｄから上面２Ｕに達するように高さ方向の全てわたって形成されている。しかし、内部張出空間３３の高さ方向の全てにわたって形成しなくても同様の効果を奏する場合はある。例えば、パネル支持アーム１５が小型化されて、空間に余裕が生じたときには、ケーシング６の側壁６ｃを蓋部材３０の近傍まで張り出させてもよい。あるいは、空間に余裕が生じた部分の張出をなくして、内部張出空間３３を高さ方向の途中まで形成して、内部張出空間３３を設けないところのみ、本体２の幅を狭くするようデザインを採ることもできる。
【００７４】
（３）上記実施形態では、本体２の側面２Ｓを高さ方向の全体にわたって、一枚の蓋部材３０で構成している。しかし、この蓋部材３０は、途中で分割することもでき、側面２Ｓの一部分だけを取り外せるように構成することもできる。例えば、上半分だけに蓋部材を嵌め込み、下半分はケーシングで構成することもできる。
【００７５】
＜特徴＞
（ａ）
壁掛け型室内機１は、本体２の内部張出空間３３に、ステッピングモータ２５が配置される。従来であれば、室内機の形状をできる限り小さくする目的で部品をケーシング内に詰め込むことから、従来のような略直方体状の本体は側面が平坦なため、ステッピングモータ２５の周囲に他の部品が密集するのが一般的である。それに対して、内部張出空間上記実施形態のステッピングモータ２５の周囲が湾曲した蓋部材３０で覆われるため、他の部品の配置されるスペースがなく、ステッピングモータ２５のほぼ全体が露出する。それにより、ステッピングモータ２５の取り付け作業が容易になる。一方、本体２の側面２Ｓの形状が滑らかな曲面状に張り出した形状であるため、本体２の横幅が広がる場合に比べて圧迫感を軽減することができる。
【００７６】
ここで、ステッピングモータ２５は、パネル支持アーム１５を駆動するためのアーム駆動モータである。可動パネル３が位置ずれを起こさないように支持しなければならないパネル支持アーム１５のアーム駆動モータは、正しい位置に配置されることが重要であるから、その取り付け作業が行い易くなることにより、大きな改善効果が見込まれる。アーム駆動モータは、可動部品の一種である。室内機１の可動部品は、リビングなどの動くものも少ない静かな空間に適したものでなければならない。このような可動部品は、可動するという機能を持つため、静止している部品に比べて取り付け作業が行い難いのが一般的である。特に可動部品が大きな駆動力を伝達したり、発生したりしなければならない場合にはこのような傾向が顕著である。このような可動部品の取り付けが容易になることによる作業効率の改善効果は大きい。また、可動部品は、機能部品の一種である。機能部品は、何らかの機能を持つため、その機能を発揮させるように取り付けることが要求される。そのため、このような機能部品の取り付けが容易になることにより大きく作業効率が改善される。
【００７７】
特に、ステッピングモータ２５の周囲を囲んでいる湾曲した蓋部材３０は、取り外すことができる。蓋部材３０が取り外せることから、ステッピングモータ２５のメンテナンスをする場合に、従来のように、ケーシング６を取り外す必要がなくなり、メンテナンスが行い易くなる。また、ステッピングモータ２５のような機能部品を取り付ける作業においても、ケーシング６を被せた状態で作業を行うことができる。例えば、熱交換器には複数のフィンがついており、ケーシング６を被せない状態で作業をすると作業者の怪我の原因にもなるが、そのような不具合を防止して取り付け作業の容易性を向上させることができる。
【００７８】
（ｂ）
パネル支持アーム１５は、本体２の前面２Ｆの全体を覆うとともに本体２の側面２Ｓの一部をも覆う可動パネル３を支持するものである。上記実施形態においては、パネル支持アーム１５が近接空間３３ａに配置される。そのため、内部張出空間３３に配置される機能部品であるステッピングモータ２５と一緒に取り付ける作業を行うことができる。それにより、簡単に正確な位置にパネル支持アーム１５とステッピングモータ２５を取り付けることができ、取り付け作業の工程が簡素化されて、作業効率が向上する。上記実施の形態では、パネル支持アーム１５は、近接空間３３ａに配置されるが、内部張出空間３３に配置される場合あるいは内部張出空間３３と近接空間３３ａに配置される場合であっても作業効率が向上するのは同様である。
【００７９】
このパネル支持アーム１５は、透明な板状部材１９により覆われており、ケース１７の中でパネル支持アーム１５が動く状態を板状部材１９越しに観察することができる。そのため、パネル支持アーム１５の取り付けばかりでなく、メンテナンス時におけるパネル支持アーム１５の動作状態の確認も容易に行える。また、この透明な板状部材１９を透して被駆動ギア２１や駆動ギア２２の動作の確認、またこれらの動作確認から間接的にステッピングモータ２５の動作確認も行える。
【００８０】
（ｃ）
受光素子４１（受光部）は、内部張出空間３３に配置される。そして、押しボタンスイッチ１１を透過してきた赤外線を受光する。受光素子４１が本体２の外部から離れているため室内の環境変化などの影響を受け難くなる。内部張出空間に受光素子４１と制御部があるプリント配線基板４０が配置されるので、受光素子４１とその制御部のあるプリント配線基板４０の取り付け作業や取り外し作業などが行い易くなる。
【符号の説明】
【００８１】
１  壁掛け型室内機
２  本体
２ａ  前面部
２ｂ  奥行き方向中央部
２ｃ  背面部
３  可動パネル
６  ケーシング
１５  パネル支持アーム
２５  ステッピングモータ
３０  蓋部材
４０  プリント配線基板
４１  受光素子
【先行技術文献】
【特許文献】
【００８２】
【特許文献１】特開２００５−９８６７１号公報
【図１】
2011099589.tif 000003
【図２】
2011099589.tif 000004
【図３】
2011099589.tif 000005
【図４】
2011099589.tif 000006
【図５】
2011099589.tif 000007
【図６】
2011099589.tif 000008
【図７】
2011099589.tif 000009
【図８】
2011099589.tif 000010
【図９】
2011099589.tif 000011
【図１０】
2011099589.tif 000012
【図１１】
2011099589.tif 000013
【図１２】
2011099589.tif 000014
【図１３】
2011099589.tif 000015
【図１４】
2011099589.tif 000016
【図１５】
2011099589.tif 000017
【図１６】
2011099589.tif 000018
【図１７】
2011099589.tif 000019
【図１８】
2011099589.tif 000020
【図１９】
2011099589.tif 000021
【図２０】
2011099589.tif 000022
【図２１】
2011099589.tif 000023
【図２２】
2011099589.tif 000024
【図２３】
2011099589.tif 000025
【手続補正書】
【提出日】平成23年2月10日(2011.2.10)
【手続補正１】
【補正対象書類名】特許請求の範囲
【補正対象項目名】全文
【補正方法】変更
【補正の内容】
【特許請求の範囲】
【請求項１】
取り付けられる側壁面に面する背面部（２ｃ）、前記背面部よりも前方に設けられて前記背面部よりも横幅が大きい奥行き方向中央部（２ｂ）および前記奥行き方向中央部よりも前方に設けられる前面部（２ａ）を有する、本体（２）と、
前記背面部の前方空間（ＳＰ１）の端面（ＳＦ１，ＳＦ２）と前記奥行き方向中央部の側面との間に形成される内部張出空間（ＳＰ２，ＳＰ３，３３）に配置される、機能部品（２５）と
を備え、
前記本体は、平面視において前記本体の幅方向に徐々に膨らんで前記機能部品の近傍で外に向かって張り出し、前記奥行き方向中央部の側面を形成する蓋部材（３０）を有する、空気調和装置の壁掛け型室内機。
【請求項２】
前記本体に取り付けられている可動パネル（３）をさらに備え、
前記機能部品は、前記蓋部材を取外したときに露出するように取り付けられ、前記可動パネルを駆動する動力を発生し、または動力を伝達するための駆動部品である、
請求項１に記載の空気調和装置の壁掛け型室内機。
【請求項３】
前記駆動部品は、前記蓋部材を取外したときにその周囲の構造が立体的に露出するように取り付けられ、前記可動パネルに伝える駆動力を発生するアーム駆動モータ（２５）を含む、
請求項２に記載の空気調和装置の壁掛け型室内機。
【請求項４】
前記可動パネルは、停止時に、前記本体の側面の一部および前面を覆い、
前記可動パネルを支持するため、前記内部張出空間および／または前記内部張出空間に連続的に繋がる近接空間（３３ａ）に配置される、上部に行くほど幅が狭くなる板状のパネル支持アーム（１５）をさらに備え、
前記アーム駆動モータは、前記パネル支持アームの側方の外側に配置される、
請求項３に記載の空気調和装置の壁掛け型室内機。
【請求項５】
前記内部張出空間および／または前記内部張出空間に連続的に繋がる近接空間（３３ａ）に配置される、受光部（４１）が搭載されているプリント配線基板（４０）をさらに備える、
請求項１から４のいずれか一項に記載の空気調和装置の壁掛け型室内機。
【請求項６】
前記蓋部材は、平面視においてＳ字状又は逆Ｓ字状に湾曲した化粧板（４）をさらに備える、請求項１に記載の空気調和装置の壁掛け型室内機。
【請求項７】
前記奥行き方向中央部の最も横に広がったところまで延び、前記化粧板と外面が面一になるように前記本体に取り付けられている可動パネル（３）をさらに備える、
請求項６に記載の空気調和装置の壁掛け型室内機。
【請求項８】
前記蓋部材は、平面視において、前記機能部品の近傍で外に向かって凸の滑らかな曲線を描く、
請求項１から７のいずれか一項に記載の空気調和装置の壁掛け型室内機。
【請求項９】
前記本体は、前記側面が弧を描いて滑らかに湾曲している、
請求項８に記載の空気調和装置の壁掛け型室内機。
【請求項１０】
前記本体は、ケーシング（６）を有し、
前記背面部は、前記ケーシングの厚みに相当する奥行きを持つ、
請求項１から９のいずれか一項に記載の空気調和装置の壁掛け型室内機。
【手続補正２】
【補正対象書類名】明細書
【補正対象項目名】全文
【補正方法】変更
【補正の内容】
【発明の詳細な説明】
【技術分野】
【０００１】
本発明は、空気調和装置の壁掛け型室内機に関し、特に機能部品を本体内に収納している空気調和装置の壁掛け型室内機に関する。
【背景技術】
【０００２】
空気調和装置の壁掛け型室内機は、本体内に、室内側熱交換器を備え、クロスフローファンなどの送風ファンにより室内空気を本体内に吸込口から吸い込み、室内側熱交換器を通して本体外に調和空気を吹出口から吹き出している。そして、吹出口から吹き出される調和空気の風向を制御するために、左右方向の風向を調節する垂直羽根と上下方向の風向を調節する水平羽根が設けられるのが一般的である。
【０００３】
このように吹き出される空気の調和や風速・風向などを調節するために、モータやギアなどの可動部品や、可動部品の制御を行うために環境・動作状態などを検知するためのセンサや、制御回路を構成する電気部品などの種々の機能部品が必要になる。
【発明の概要】
【発明が解決しようとする課題】
【０００４】
ところが、従来の壁掛け型室内機では、壁に取り付けた時の圧迫感を少なくするため、例えば特許文献１（特開２００５−９８６７１号公報）などに記載されているように、略直方体の本体をケーシングで覆い、ケーシングで覆われた内部の容積をできるだけ少なくする構成が採られる。そのため、壁掛け型室内機では種々の部品や部材が狭い空間に密集して配置され、機能部品の周囲にも種々の部品が配される。壁掛け型室内機内の機能部品については、上述のような状況にあるため、組立における機能部品の取付作業が困難になる。
【０００５】
本発明の課題は、本体内部に収納される機能部品の取り付け作業を容易に行える空気調和装置の壁掛け型室内機を提供することにある。
【課題を解決するための手段】
【０００６】
第１発明に係る空気調和装置の壁掛け型室内機は、本体と機能部品とを備えている。本体は、取り付けられる側壁面に面する背面部、背面部よりも前方に設けられて背面部よりも横幅が大きい奥行き方向中央部および奥行き方向中央部よりも前方に設けられる前面部を有する。機能部品は、背面部の前方空間の端面と奥行き方向中央部の側面との間に形成される内部張出空間に配置される。本体は、平面視において本体の幅方向に徐々に膨らんで機能部品の近傍で外に向かって張り出し、奥行き方向中央部の側面を形成する蓋部材を有する。
【０００７】
本発明によれば、内部張出空間に機能部品を配しているので、周囲に取り付け作業の障害になる他の部品が少なくなる。そのため、周囲に障害物のない状態で機能部品の取り付け作業を行うことができる。
【０００８】
また、蓋部材を取り外すと、機能部品を簡単に露出させることができて、しかも機能部品の周囲に障害となる他の部品がない状態が現れる。そのため、機能部品の取り付け作業やメンテナンスを行うことができる領域や方向が広がる。
【０００９】
さらに、蓋部材が、本体の幅方向に徐々に膨らんで機能部品の近傍で外に向かって張り出すので、比較的余分な空間が本体内部に形成されない。
【００１０】
第２発明に係る空気調和装置の壁掛け型室内機は、第１発明の空気調和装置の壁掛け型室内機であって、本体に取り付けられている可動パネルをさらに備える。機能部品は、蓋部材を取外したときに露出するように取り付けられ、可動パネルを駆動する動力を発生し、または動力を伝達するための駆動部品である。
【００１１】
本発明によれば、駆動部品が内部張出空間に配置されることで、本体の真横などの一方方向からだけでなく、前方や後方などからも動作の確認や動作を調節する作業が行えるようになる。
【００１２】
第３発明に係る空気調和装置の壁掛け型室内機は、第２発明の空気調和装置の壁掛け型室内機であって、駆動部品は、蓋部材を取外したときにその周囲の構造が立体的に露出するように取り付けられ、パネル支持アームに伝える駆動力を発生するアーム駆動モータを含む。
【００１３】
本発明によれば、アーム駆動モータは、発生させた駆動力を適切に可動パネルに伝達するよう注意して取り付けられなければならない。従って、このように取り付けに注意を要するアーム駆動モータを内部張出空間に配置することでアーム駆動モータの取り付け作業の作業性が向上する。
【００１４】
第４発明に係る空気調和装置の壁掛け型室内機は、第３発明の空気調和装置の壁掛け型室内機であって、可動パネルは、停止時に、本体の側面の一部および前面を覆う。そして、可動パネルを支持するため、内部張出空間および／または内部張出空間に連続的に繋がる近接空間に配置される、上部に行くほど幅が狭くなる板状のパネル支持アームをさらに備える。そして、アーム駆動モータは、パネル支持アームの側方の外側に配置される。
【００１５】
本発明によれば、アーム駆動モータとパネル支持アームを配置する作業を一緒に行うことができる。
【００１６】
第５発明に係る空気調和装置の壁掛け型室内機は、第１発明から第４発明のいずれかの空気調和装置の壁掛け型室内機であって、受光部が搭載されているプリント配線基板をさらに備える。プリント配線基板は、内部張出空間および／または内部張出空間に連続的に繋がる近接空間に配置される。
【００１７】
本発明によれば、内部張出空間を通して受光部で赤外線などの光を受光することができるので、受光部が本体外部から離れて配置できるため本体外部の影響を受け難くなるとともに、内部張出空間に受光部が搭載されているプリント配線基板が配置されるので受光部が搭載されているプリント配線基板の取り付け作業や交換作業などが行い易くなる。
【００１８】
第６発明に係る空気調和装置の壁掛け型室内機は、第１発明の空気調和装置の壁掛け型室内機であって、蓋部材は、平面視においてＳ字状又は逆Ｓ字状に湾曲した化粧板をさらに備える。
【００１９】
本発明によれば、Ｓ字状又は逆Ｓ字状に湾曲した化粧板の内側に、内部張出空間を形成することができる。
【００２０】
第７発明に係る空気調和装置の壁掛け型室内機は、第６発明の空気調和装置の壁掛け型室内機であって、奥行き方向中央部の最も横に広がったところまで延び、化粧板と外面が面一になるように本体に取り付けられている可動パネルをさらに備える。
【００２１】
本発明によれば、正面視においては、可動パネルと化粧板との継ぎ目を見えなくすることができる。
【００２２】
第８発明に係る空気調和装置の壁掛け型室内機は、第１発明から第７発明のいずれかの空気調和装置の壁掛け型室内機であって、蓋部材は、平面視において、機能部品の近傍で外に向かって凸の滑らかな曲線を描く。
【００２３】
本発明によれば、滑らかな曲線により、居住者に与える圧迫感を軽減することができる。
【００２４】
第９発明に係る空気調和装置の壁掛け型室内機は、第８発明の空気調和装置の壁掛け型室内機であって、本体は、側面が弧を描いて滑らかに湾曲している。
【００２５】
本発明によれば、前面部と側面部の間に稜線が存在しないように構成することができる。
【００２６】
第１０発明に係る空気調和装置の壁掛け型室内機は、第１発明から第９発明のいずれかの空気調和装置の壁掛け型室内機であって、本体は、ケーシングを有し、背面部は、ケーシングの厚みに相当する奥行きを持つ。
【発明の効果】
【００２７】
第１発明又は第１０発明の空気調和装置の壁掛け型室内機においては、機能部品の取り付け作業が容易になる。
【００２８】
また、蓋部材を取り外すことができるため、機能部品の取り付け作業やメンテナンスを行うことができる領域や方向が広がり、作業効率やメンテナンスの作業の容易性が向上する。
【００２９】
第２発明の空気調和装置の壁掛け型室内機においては、駆動状態の確認や駆動部品の取り付けが容易になり、取り付け作業やメンテナンスの時間を短縮することができる。
【００３０】
第３発明の空気調和装置の壁掛け型室内機においては、アーム駆動モータの取り付け作業やメンテナンスが容易になる。
【００３１】
第４発明の空気調和装置の壁掛け型室内機においては、２つの作業を集約することができ、作業効率を向上させることができる。
【００３２】
第５発明の空気調和装置の壁掛け型室内機においては、パネル支持アームに対する視認性が向上することから、取り付け作業やメンテナンス作業の容易性がさらに向上する。
【００３３】
第６発明の空気調和装置の壁掛け型室内機においては、化粧板の内側に、内部張出空間を形成することができる。
【００３４】
第７発明の空気調和装置の壁掛け型室内機においては、正面視において可動パネルと化粧板との継ぎ目を見えなくすることができる。
【００３５】
第８発明の空気調和装置の壁掛け型室内機においては、居住者に与える圧迫感を軽減することができる。
【００３６】
第９発明の空気調和装置の壁掛け型室内機においては、側面が弧を描いて滑らかに湾曲するようにして前面部と側面の間に稜線が存在しないように構成することにより、稜線が鮮明に見えるものと比べて居住者から室内機を目立たなくすることができる。
【図面の簡単な説明】
【００３７】
【図１】本発明の一実施形態に係る空気調和装置の壁掛け型室内機の正面図。
【図２】図１の壁掛け型室内機の平面図。
【図３】図１の壁掛け型室内機の側面図。
【図４】図１の壁掛け型室内機の内部張出空間を説明するための斜視図。
【図５】図１の壁掛け型室内機の斜視図。
【図６】図１の壁掛け型室内機の可動パネルを上に移動した状態を示す正面図。
【図７】図６の壁掛け型室内機の側面図。
【図８】図６の壁掛け型室内機の平面図。
【図９】図６の壁掛け型室内機の斜視図。
【図１０】図６の壁掛け型室内機の斜視図。
【図１１】図１の壁掛け型室内機の可動パネルを取り外した状態を示す側面図。
【図１２】運転停止時のパネル支持アームの周辺の構造を示す側面図。
【図１３】移動途中のパネル支持アームの周辺の構造を示す側面図。
【図１４】運転時のパネル支持アームの周辺の構造を示す側面図。
【図１５】可動パネルの移動の軌跡を説明するための側面図。
【図１６】図１の壁掛け型室内機の可動パネルを取り外した状態を示す正面図。
【図１７】図１６の壁掛け型室内機の平面図。
【図１８】図１７のＡ−Ａ線断面図の側面図。
【図１９】図１の壁掛け型室内機の内部張出空間を説明するための断面図。
【図２０】図１６の壁掛け型室内機から蓋部材を取り外した状態を示す斜視図。
【図２１】図２０の壁掛け型室内機の側面図。
【図２２】（ａ）蓋部材の正面図、（ｂ）蓋部材の右側面図、（ｃ）蓋部材の背面図、（ｄ）蓋部材の左側面図。
【図２３】（ａ）図２２の蓋部材の平面図、（ｂ）蓋部材の底面図、（ｃ）図２２（ａ）のＢ−Ｂ線断面図。
【発明を実施するための形態】
【００３８】
＜空気調和装置の概要＞
本発明の一実施形態に係る空気調和装置の壁掛け型室内機は、室外に設置される室外機に冷媒配管によって接続されて、室外機とともに空気調和装置の冷媒回路を構成する。また、壁掛け型室内機は、伝送線路によって室外機と接続されており、室外機と一体になって動作を行う。そのために、壁掛け型室内機の内部には、制御回路や電気部品が実装されるプリント配線基板などが設置される。
【００３９】
＜壁掛け型室内機の外観＞
図１は、運転停止状態の壁掛け型室内機の正面図であり、図１の壁掛け型室内機の平面および側面が図２および図３に示されている。以下の説明では、壁掛け型室内機１を略して室内機１という。また、室内機１の本体２の前面２Ｆに向かって右側が室内機１の左であり、向かって左側が室内機１の右である。
【００４０】
図１乃至３に示す室内機１は、前面２Ｆと、左右の側面２Ｓと、背面２Ｂと、上面２Ｕと、底面２Ｄとを有する本体２の中に、熱交換器（図示省略）や送風機（図示省略）が設置されて構成される。本体２の形状は、正面視において水平方向（横方向）に長い長方形であり、側面視において鉛直方向に長い長方形であり、平面視において前面２Ｆと背面２Ｂが平行で側面２Ｓの中央が大きく横方向に張り出した横長の形状である。本体２の背面２Ｂには、取付部（図示省略）が設けられている。そして、本体２の背面２Ｂは、室内機１が壁面に取り付けられたときに、壁面に面する。
【００４１】
図４は、室内機１を、室内機１の左前方斜め上から見たときの室内機１の輪郭を示す斜視図である。この図４を用いて内部張出空間について説明する。図４に示されているように、室内機１の本体２は、奥行き方向において３つの部分に分けることができる。すなわち、本体２は、取り付けられる壁面に面する背面２Ｂ近傍の背面部２ｃと、背面部２ｃの前方にある奥行き方向中央部２ｂと、奥行き方向中央部２ｂの前方にある前面部２ａとからなる。前面部２ａおよび背面部２ｃは、本体２の前面２Ｆや背面２Ｂの近傍にある極めて薄い空間である。例えば、前面部２ａおよび背面部２ｃの奥行きは、前面２Ｆや背面２Ｂから５ｍｍ程度であり、ケーシング６の厚み程度のものである。
【００４２】
背面部２ｃの前方の奥行き方向中央部２ｂには、前方空間ＳＰ１がある。前方空間ＳＰ１は、背面部２ｃと同じ高さと同じ横幅を有している。この前方空間ＳＰ１は、左右に端面ＳＦ１，ＳＦ２を有している。これら端面ＳＦ１，ＳＦ２は、図４において一点鎖線と二点鎖線と２本の点線で囲まれた矩形の面であり、本体２の側面２Ｓに対向している面である。
【００４３】
奥行き方向中央部２ｂは、前方空間ＳＰ１と、この前方空間ＳＰ１よりも左に張り出した内部張出空間ＳＰ２と、この前方空間ＳＰ１よりも右に張り出した内部張出空間ＳＰ３とからなる。内部張出空間ＳＰ２は、前方空間ＳＰ１の左の端面ＳＦ１と本体２の左の側面２Ｓとの間にある空間である。図４においては、この内部張出空間ＳＰ２の上面と下面に斜線が付されている。内部張出空間ＳＰ２と対称な形をした内部張出空間ＳＰ３が右の端面ＳＦ２と右の側面２Ｓとの間に形成されている。これら内部張出空間ＳＰ２，ＳＰ３の少なくとも一方に機能部品が配置される。なお、内部張出空間ＳＰ２，ＳＰ３に近接する近接空間については後述する。
【００４４】
図１に示されているように、室内機１は、本体２の前面２Ｆの全体および側面２Ｓの一部を覆う可動パネル３を備えている。この可動パネル３は、本体２の前面２Ｆに沿って、全体を覆う平坦な前面部３ａと、滑らかに湾曲して本体２の左右の側面２Ｓに沿って側面２Ｓの一部を覆う側面部３ｂとからなる。可動パネル３の側面部３ｂは、図２に示すように、上面視において円弧状に湾曲している。
【００４５】
図１から分かるように、正面から見えるのは、可動パネル３のみである。正面から眺めたときには、主に可動パネル３の平坦な前面部３ａが見えて、壁が浮き出したような印象を与えるため、室内に居る居住者への圧迫感を軽減することができる。さらに、可動パネル３の側面部３ｂが弧を描いて滑らかに湾曲しているため、前面部３ａと側面部３ｂの間に稜線が存在せず、稜線が鮮明に見えるものと比べて居住者から室内機１を目立たなくすることができる。
【００４６】
側面部３ｂは、図２および図３から分かるように、奥行き方向中央部２ｂの最も横に広がったところまで延びている。そして、側面部３ｂよりも後方の本体２の側面２Ｓには、化粧板４が形成されている。可動パネル３と化粧板４とがつき合わされる部分において、可動パネル３の側面部３ｂの端部と化粧板４の端部で段差が出来ないように、可動パネル３の側面部３ｂの表面と化粧板４の表面の位置を一致させている。そのため、室内機１の正面視においては、可動パネル３と化粧板４との継ぎ目は見えない。
【００４７】
可動パネル３の側面部３ｂと化粧板４で構成される本体２の側面２Ｓは、化粧板４の部分において、徐々に本体２の横幅が小さくなる。そのため、化粧板４は、平面視において本体２の左の側面２ＳがＳ字状に緩やかな湾曲しており、右の側面２Ｓが逆Ｓ字状に緩やかに湾曲している。
【００４８】
このように、奥行き方向中央部２ｂの横幅が背面部２ｃに比べて大きくなっているため、奥行き方向中央部２ｂの部分の側面２Ｓの内側には、内側張出空間が形成される。
【００４９】
この化粧板４は、本体２が有する蓋部材３０に取り付けられている（図２参照）。そして、この蓋部材３０は、本体２を覆うケーシング６に取り付けられている。ケーシング６は、図２に示すように、本体２の上面２Ｕにおいては格子状のグリル６ｂを有しており、このグリル６ｂの部分に第１吸込口７が形成されている。
【００５０】
図５は、室内機１を、室内機１の左斜め下から見た斜視図である。本体２は、下面２Ｄにケーシング６の底面を有している。ケーシング６の底面には、吹出口９が形成されている。この吹出口９は、本体２の底面２Ｄだけでなく、前面２Ｆにも形成されているが、この点については後述する。吹出口９から吹き出される調和空気の上下方向の風向を調節するため、吹出口９にはフラップ１０が設けられている。運転停止時には、フラップ１０は、図５に示すように吹出口９を塞ぐ。しかも、フラップ１０が吹出口９を塞いでいる状態で、フラップ１０の表面とケーシング６の底面の表面が面一になるように、互いの表面の位置が揃えられている。また、本体２の底面２Ｄには、左側に、側面２Ｓの形状に沿うように、比較的径の大きな円形の押しボタンスイッチ１１が設けられる。この押しボタンスイッチ１１により、電源のオンオフが行われる。電源のオンオフばかりでなく、この押しボタンスイッチ１１は、赤外線を透過する材質で形成されており、押しボタンスイッチ１１を透過した赤外線を本体２の内部で受光できるよう構成されている。また、押しボタンスイッチ１１の周囲のリング１１ａは、光を透過する材質で形成されており、本体２の内部に設けられた発光ダイオードの光を外部に透過することができる。赤外線の受光部や発光ダイオードの配置については後述する。
【００５１】
＜可動パネルを上げた状態の室内機の外観＞
可動パネル３は、運転時において最上点まで上昇し、運転停止時において最下点まで下降する。従って、室内機１の可動パネル３が静止するのは、最上点と最下点の２箇所である。図６乃至図１０は、室内機１が運転状態になり、可動パネル３が上に持ち上げられた状態を示している。図６は室内機１の正面図であり、図７は室内機１の側面図であり、図８は室内機１の平面図であり、図９は室内機１を、室内機１の前方左斜め上方から見た斜視図であり、図１０は室内機１を、室内機１の後方左斜め上方から見た斜視図である。
【００５２】
図６に示すように、可動パネル３が最上点に移動することにより、ケーシング６の下方に形成された第１開口部９ａが正面から見える状態になる。図５を示して先にも説明した吹出口９は、この第１開口部９ａと、ケーシング６の底面に形成されているがフラップ１０で覆うことのできる第２開口部９ｂとからなる。これら第１開口部９ａと第２開口部９ｂは、つながっており、本体２内に設けられて斜め下方に向かう吹出通路（図示省略）の出口にあたる。図６では、第２開口部９ｂがフラップ１０で閉鎖されているが、図９では、フラップ１０が回転して吹出通路内に位置するために第２開口部９ｂが開放されている。運転時においては、少なくとも第１開口部９ａを開放するために、可動パネル３の下端部３ｃは、第１開口部９ａの上辺の位置よりも上まで上昇する。
【００５３】
また、可動パネル３の下端部３ｃが第１開口部９ａの上辺よりも上に位置した状態において、ケーシング６の前面６ａに設けられている人検知センサ１２が現れて人検知が可能な状態になる。
【００５４】
可動パネル３が上方に移動する際には、下端部３ｃの前後に移動する距離が少なく、上端部３ｄの前方への移動距離が長くなる。そのため、図７に示すように、側面から見ると、上端部３ｄが下端部３ｃよりも前方に移動し、可動パネル３が前方に傾斜する。それにより、可動パネル３の背面３ｅとケーシング６の前面６ａとの間に開口部１３が形成される。図６や図９では、可動パネル３の陰になって見えないが、ケーシング６の前面６ａに第２吸込口が設けられている。開口部１３が形成されることにより、ケーシング６の前面６ａに設けられた第２吸込口から室内空気を吸込むことが可能になる。なお、第２吸込口については、後述する図１６に示す。
【００５５】
このように、漏斗のように上部が広がった開口部１３から下方に向かって室内空気が吸い込まれるため、可動パネル３の下端部３ｃの近傍で可動パネル３を挟んで、第２吸込口から吸込まれる室内空気の流れと、吹出口９から吹き出される調和空気の流れとが発生する。そのため、可動パネル３の下端部３ｃとケーシング６の前面６ａとの間の隙間が大きいと、調和空気が室内空気の流れに引き込まれたり、逆に可動パネル３の背面側を流れる室内空気が調和空気の流れに引き込まれたりして結露が生じるなどの不具合が発生する原因ともなる。そこで、可動パネル３が最上点に達するときに、可動パネル３の下端部３ｃをケーシング６の前面６ａの方に引き寄せるような動作が行われる。
【００５６】
また、同様の理由から、可動パネル３の変形によって、可動パネル３の下端部３ｃとケーシング６の前面６ａとの間に隙間が生じることは好ましくない。可動パネル３には、プラスチックやアルミニウムとプラスチックを張り合わせたものなど比較的剛性の高くかつ軽い材料が用いられる。しかし、そのような隙間の発生を防止するには可動パネル３を構成する板状の部材の剛性だけでは不十分なため、さらに剛性を高める目的で、図８や図１０に示すように、ステンレス製の中空の金属棒１４などが可動パネル３の前面部３ａの裏側に取り付けられる。
【００５７】
＜可動パネルの支持＞
可動パネル３は、図８や図１０に示すように、ラックギアが形成されているパネル支持アーム１５によって支えられている。パネル支持アーム１５は、後述するステッピングモータからラックギアに駆動力が伝達されることにより移動する。
【００５８】
既に説明したように室内機１に優れた外観を与えるため、本体２の前面２Ｆの全体ばかりでなく、本体２の側面２Ｓの一部をも覆うように構成される可動パネル３は、重いものとなる。それに加えて、室内空気を第２吸入口から吸込むために、許容される変形量が制限されることから、高い剛性を要求されており、可動パネル３は、さらに自重を増す傾向にある。そして、可動パネル３を単に上下にスライドさせるだけでなく、複雑な動作を要求されることから、パネル支持アーム１５などの可動パネル３の支持部材に掛かる負担は大きくなる。
【００５９】
可動パネル３を外した室内機１の側面図を図１１に示す。図１１に示されている状態は、可動パネル３が最上点で静止している図７の状態から、可動パネル３をパネル支持アーム１５より取り外したものである。
【００６０】
図１２、図１３および図１４には、パネル支持アーム１５の構造と動作を説明するために、パネル支持アーム１５とその周辺の部品を含む部分を抜き出して示している。図１２には、運転停止時にあって可動パネル３が最下点にある状態（閉じている状態）が示され、図１４には、運転時にあって可動パネル３が最上点にある状態（開いている状態）が示されている。そして、図１３には、図１２の状態から図１４の状態への移行途中あるいは逆に図１４の状態から図１２の状態への移行途中の状態が示されている。
【００６１】
図１２乃至図１４に示す可動パネル３は、アルミニウム板３ｍとプラスチック板３ｎの張り合わせ構造を有している。このプラスチック板３ｎの背面側には、パネル支持アーム１５と連結するための第１連結部１６ａと第２連結部１６ｂが設けられる。可動パネル３の上端部３ｄ近傍に設けられる第１連結部１６ａは、パネル支持アーム１５の上部に設けられる開口部１５ａと連結する。他方、第２連結部１６ｂは、可動パネル３の下端部３ｃを基準として可動パネル３の高さの約４分の１の高さのところに設けられている。この第２連結部１６ｂは、パネル支持アーム１５の下部に設けられている連結部１５ｂに連結される。可動パネル３とパネル支持アーム１５は、上述の連結を行ったり解いたりすることで着脱ができるように構成されている。
【００６２】
パネル支持アーム１５は、上部に行くほど幅が狭くなる三角定規に似た板状の部品で構成され、可動パネル３が密着する辺１５ｃに対して同様の角度を持って形成された長穴状の第１摺動開口１５ｄと第２摺動開口１５ｅとが形成される。また、辺１５ｃから最も遠いパネル支持アーム１５の頂点にローラー１５ｆが取り付けられる。
【００６３】
このパネル支持アーム１５は、２枚の板状部材を合わせて構成される薄いケース１７に収納されている。この薄いケース１７を構成する一方の板状部材１８には、第１摺動開口１５ｄを摺動できるように第１摺動開口１５ｄ内に嵌っている円柱状の第１支持部材２０ａと、第２摺動開口１５ｅを摺動できるように第２摺動開口１５ｅ内に嵌っている円柱状の第２支持部材２０ｂとがビス止めされている。そして、板状部材１８の周囲に、ローラー１５ｆが当たりながら動くガイド部１８ａが形成されている。
【００６４】
このガイド部１８ａには、直線状に伸びるガイド壁１８ａ１と、ガイド壁１８ａ１の上部に続く凹部１８ａ２が含まれる。ガイド壁１８ａ１を延長した直線に対して、凹部１８ａ２の方が辺１５ｃよりも遠いところに位置する。また、第２摺動開口１５ｅは、長い上部開口１５ｅ１と非常に短い下部開口１５ｅ２からなる。上部開口１５ｅ１が上方に行くほど辺１５ｃに近づくように延びているのに対し、下部開口１５ｅ２は上方に行くほど辺１５ｃから遠ざかる方向に延びる。
【００６５】
ガイド部１８ａが凹部１８ａ２を持ち、第２摺動開口１５ｅが下部開口１５ｅ２を持っているため、可動パネル３は複雑な動きをする。第２摺動開口１５ｅの上部開口１５ｅ１を上から下に向けて第２支持部材２０ｂが摺動しているときには、可動パネル３が上方に移動しつつ可動パネル３の上端部３ｄがケーシング６の前面６ａから大きく離れる一方、下端部３ｃが前面６ａから少し離れる。そして、第２支持部材２０ｂが下部開口１５ｅ２に入ると、ローラー１５ｆが凹部１８ａ２に入り込む。そのとき、パネル支持アーム１５は、第１支持部材２０ａを中心に回動しつつ移動し、可動パネル３の上端部３ｄはケーシング６の前面６ａからさらに大きく離れるような動きをする一方、下端部３ｃは逆に前面６ａに近づくような動きをする。この可動パネル３の動きの軌跡を図１５に示す。
【００６６】
このパネル支持アーム１５は、図１２乃至図１４に示されている被駆動ギア２１からパネル支持アーム１５のラックギアに駆動力が伝達されることにより移動する動作を行う。被駆動ギア２１には、後述するステッピングモータの駆動軸に連結されている駆動ギア２２から動力が伝達される。これら被駆動ギア２１および駆動ギア２２は、薄いケース１７内部に取り付けられ、被駆動ギア２１がパネル支持アーム１５のラックギアと噛み合う。
【００６７】
上述のような重い可動パネル３と、複雑な動きをするパネル支持アーム１５とが適切に動作するように取り付ける作業は、周囲に他の部材が密集していると難しくなる。そのため、室内機１においては、パネル支持アーム１５などの部材が、本体２の奥行き方向中央部２ｂの内部張出空間に設けられる。
【００６８】
＜パネル支持アーム１５の設置場所＞
次に、図１２乃至図１４を用いて説明したパネル支持アーム１５とその周囲の部材の設置場所について説明する。図１６および図１７には、室内機１の可動パネル３を取り外した状態が示されている。図１６は室内機１の正面図であり、図１７は室内機１の平面図である。
【００６９】
図１６に示すように、第２吸込口２７がケーシング６の前面６ａに設けられている。第２吸込口２７は、第１吸込口７と同様に、少し本体２の右に寄っている。このことから、第２吸込口２７に吸込まれる室内空気から可動パネル３が受ける力は、本体２の右側の方が少し大きくなることが分かる。可動パネル３に掛かる力が左右で異なる場合であっても、左右に設けられているパネル支持アーム１５で支える位置がずれてはいけない。そのためにも、パネル支持アーム１５の取り付けが重要になる。
【００７０】
パネル支持アーム１５は、図１６に示されている張出領域２ｄ，２ｅに対応する位置に配置されている。正面視において、この張出領域２ｄ，２ｅの位置は、可動パネル３の側面部３ｂの位置に重なる。張出領域２ｄ，２ｅには蓋部材３０が取り付けられ、本体２は、蓋部材３０の分だけケーシング６よりも横方向に張り出した形状を呈している。この蓋部材３０は、ビス３１によって、ケーシング６に固定される。また、図１２乃至図１４において説明したパネル支持アーム１５とその周囲の部材は、ビス３２によってケーシング６に固定される。
【００７１】
図１６のＡ−Ａ断面図を図１８に示す。また、ビス３１を取り、蓋部材３０を外した状態を図２０および図２１に示す。図２０は、室内機１の前方左斜め上方から見た斜視図であり、図２１は、室内機１の左から見た側面図である。
【００７２】
図１８に示すように、蓋部材３０とケーシング６との間において、奥行き方向中央部２ｂに対応する部分に大きな内部張出空間３３が形成される。この内部張出空間３３があるためにステッピングモータ２５を薄いケース１７の側方外側に配置することができる。このケース１７は、板状部材１８と透明の板状部材１９を合わせて構成される。この透明の板状部材１９にステッピングモータ２５が嵌め込まれている。図１８から分かるように、断面が洋梨のように扁平な下膨れの円形をした円筒を縦に２分割した形状を蓋部材３０が有していて、比較的余分な空間が本体２の内部に形成されていない。例えば、二点鎖線で示したような形状であると、本体２の背面２Ｂに近いところに余分な大きな空間３４が形成される。このような余分な空間を削り落として、膨出した蓋部材３０の形状を滑らかに湾曲させることで、本体２の側面２Ｓの形状を、居住者に対して圧迫感の少ない外観に仕上げることができている。
【００７３】
蓋部材３０を取り外すと、図２０に示すように、ステッピングモータ２５およびパネル支持アーム１５の周囲の構造が立体的に露出する。それにより、ステッピングモータ２５およびパネル支持アーム１５の周囲の構造をケーシング６の側面に取り付ける作業が容易になる。つまり、ステッピングモータ２５が取り付けられた薄いケース１７ごと、板状部材１８をケーシング６にビス止めすることができ、ケーシング６の側壁６ｃのように平らな所に平らな薄いケース１７を取り付けるのは簡単である。
【００７４】
このように、組立が完了した後においても、蓋部材３０を取り外すと、ステッピングモータ２５とパネル支持アーム１５周りの全体を立体的に露出させることができる。そのため、工具を差し込む方向の制限が少なくなり、メンテナンス作業も容易になる。
【００７５】
また、透明な板状部材１９がパネル支持アーム１５の外側側面を覆っているため、パネル支持アーム１５、被駆動ギア２１、駆動ギア２２、およびステッピングモータ２５などの駆動部品の動きを透明な板状部材１９を透して見て確認することができる。
【００７６】
パネル支持アーム１５の位置を検知するため、ケース１７には、リミットスイッチ２６が設けられている。パネル支持アーム１５には、段差のついた板状片２８が取り付けられており（図２１参照）、板状片２８がパネル支持アーム１５と一緒に移動する。この板状片２８の段差をリミットスイッチ２６が検知することで、リミットスイッチ２６による位置検出を行っている。
【００７７】
上述のように、可動パネル３の支持構造においては、ローラー１５ｆが凹部１８ａ２に入ることで、可動パネル３の支持が補助されている。一旦、ローラー１５ｆが凹部１８ａ２に入ると、ローラー１５ｆが凹部１８ａ２から出るためには、凹部１８ａ２とガイド壁１８ａ１との高低差を越えなければならなくなるため、支持を補助できるのである。従って、リミットスイッチ２６では、ローラー１５ｆが凹部１８ａ２に入る位置までパネル支持アーム１５が確実に移動したこと（最上点に達していること）を検知する必要がある。このようなことから、リミットスイッチ２６や板状片２８を正しい配置位置に正確に設定することが必要になる。内部張出空間３３を使うことで、パネル支持アーム１５を収納したケース１７ごとリミットスイッチ２６や板状片２８を設置できるので、取り付けが簡単で正確に行える。また、メンテナンス時には、ケース１７の周辺の部材が立体的に露出するため、工具や人の手による調整や部品の取替えが簡単に行える。
【００７８】
内部張出空間３３とそれに近接する空間にかけて、ステッピングモータ２５以外にも、図２１に示すように、電気部品が実装されたプリント配線基板４０（機能部品）が配置される。プリント配線基板４０は、押しボタンスイッチ１１の上方に配置されている。このプリント配線基板４０には、赤外線を受光する受光素子４１が搭載され、その制御部が形成されている。受光素子４１は、押しボタンスイッチ１１の中心点の真上に配置される。このようなプリント配線基板４０の取り付けやメンテナンスが容易になるのは、パネル支持アーム１５やステッピングモータ２５などの機能部品の取り付けやメンテナンスが容易になるのと同様である。
【００７９】
また、押しボタンスイッチ１１の周囲にあるリング１１ａの上方には、異なる発光色の発光ダイオード４２が配置されている。この発光ダイオード４２もプリント配線基板４０に搭載されている。そして、暖房や冷房などの運転の違いを発光色で伝達するため、種々の色に押しボタンスイッチ１１の周囲のリング１１ａを光らせることができるよう構成されている。このような発光ダイオード４２や受光素子４１のメンテンナンスも機能部品のメンテナンスである。
【００８０】
次に、図１９を用いて、近接空間について説明する。図１９は、図１８からパネル支持アーム１５やその周辺の部材およびステッピングモータ２５などの部品を取り除いた状態の断面図である。図中の一点鎖線は、背面部２ｃの左端を基点として前方へ延びている。室内機１の場合には、蓋部材３０の背面側の一部も背面部２ｃを構成している。本体２の側面２Ｓを構成しているのは蓋部材３０であって、ケーシング６の側壁６ｃと蓋部材３０との間に空間が形成されている。本来は、側壁６ｃと蓋部材３０の間に形成された空間が膨出された空間であるが、用語の範囲を明確にするために、図中の一点鎖線よりも外側の空間を内部張出空間３３と定義している。しかし、内部張出空間３３に連続的に繋がってかつ近接する近接空間３３ａに機能部品を配置した場合も内部張出空間３３に配置した場合と同様の働きが期待できる。たとえ内部張出空間３３に近接していても、例えば側壁６ｃを越えたケーシング６の内側の空間は、内部張出空間３３と同じ働きを期待できないことが明らかであり、近接空間３３ａではない。また、たとえ連続してもあまり離れていては同じ働きを期待できない。従って、近接空間３３ａの厚み（内部張出空間３３から最も遠いところまでの距離）は、通常の壁掛け型室内機１において用いられる機能部品の大きさを考慮すれば、好ましくは２〜４ｃｍ程度、さらに好ましくは２ｃｍ未満である。
【００８１】
＜蓋部材の構造＞
室内機１の左側面を構成する左側の蓋部材３０の六面図および段面図を図２０および図２３に示す。すなわち、図２０（ａ）は蓋部材３０の正面図、図２０（ｂ）は右側面図、図２０（ｃ）は背面図、そして図２０（ｄ）が左側面図である。また、図２３（ａ）は平面図、図２３（ｂ）は底面図、そして図２３（ｃ）はＢ−Ｂ線断面図である。
【００８２】
既に説明したように、蓋部材３０が立体的形状を有することおよび、その蓋部材３０が本体２の側面２Ｓに配置されることによって、内部張出空間３３が形成される。できるだけ、室内機１の本体２の外形を小さくするため、余分な空間を本体２の内部に設けないことが好ましいことから、蓋部材３０の形状は、ステッピングモータ２５がちょうど納まるようにステッピングモータ２５の近傍では外に向かって凸の滑らかな曲線を描く。図２３（ａ）を用いて平面視した場合の蓋部材３０の形状を説明すると、まず、背面２Ｂ側の始端から前面２Ｆ側の終端に向かうに従って徐々に側面が本体２の幅方向に膨らむ。次に、約３分の１のこと頃すぎたところから前面２Ｆに至る部分は略半円形の弧を描く。そして、背面２Ｂの始端と前面２Ｆの終端は、本体２の幅方向（横方向）においてほぼ同じ位置にある。そのため、機能部品を収納するのに十分な内部張出空間３３が略半円形の弧の内側に形成される。さらに詳細に見ると、蓋部材３０が最も張り出すところに段差が形成されている。この段差は、可動パネル３と化粧板４との外面を面一にするために形成されているものである。
【００８３】
図２３（ａ）と図２３（ｂ）と図２３（ｃ）とを比較すると、蓋部材３０は、本体２の高さ方向には直線状のシルエットを持っていることが分かる。これは、デザインに依存するところが大きく、例えば、本体２の上部の内部張出空間３３に余裕があれば、図２３（ｂ）の下面の形状よりも図２３（ａ）の上面の形状を小さくするような構成を取ることも可能である。柔らかな曲線で、内部張出空間３３に設けられるステッピングモータ２５などの機能部品を無駄な内部空間を排除しつつ蓋部材３０のような側面外郭で包むことで、居住者に与える圧迫感を軽減することができる。それと同時に、内部張出空間３３に配置される機能部品の組み立てが容易になる。
【００８４】
この蓋部材３０には、背面側に掛止爪３５が設けられている。この掛止爪３５をケーシング６の所定の穴に差し込み、ビス３１を穴３６に差し込んでケーシング６のネジ穴にねじ込むことで、簡単に蓋部材３０をケーシング６に装着することができる。そして、蓋部材３０の裏面側には、蓋部材３０の補強のためにリブ３７が形成されている。
【００８５】
＜変形例＞
（１）上記実施形態では、本体２の側面２Ｓを取り外すことができる蓋部材３０で構成している。しかし、本体２の側面２Ｓは、取り外すことができないものであってもよく、例えばケーシング６で本体２の側面２Ｓを構成してもよい。この場合、メンテナンスの利便性は低下するが、従来に比べればメンテナンスは容易であり、また、取り付け作業も従来より容易になる。従来、ケーシングを外すと、側面に密集した部品が平面状に広がることになるのに対し、上記実施形態のように張り出した側面形状を持たせれば、張り出した側面形状に合わせて密集した部品が広がる。従って、上記実施形態のように側面を凸状に湾曲させることにより、密集した部品の形状が側面形状に沿って立体的になるため、工具や人の手が入り易くなる部分ができる。それにより、取り付け作業、引いてはメンテナンス作業の効率が改善されることになる。
【００８６】
（２）上記実施形態では、内部張出空間３３が、本体２の高さ方向の下面２Ｄから上面２Ｕに達するように高さ方向の全てわたって形成されている。しかし、内部張出空間３３の高さ方向の全てにわたって形成しなくても同様の効果を奏する場合はある。例えば、パネル支持アーム１５が小型化されて、空間に余裕が生じたときには、ケーシング６の側壁６ｃを蓋部材３０の近傍まで張り出させてもよい。あるいは、空間に余裕が生じた部分の張出をなくして、内部張出空間３３を高さ方向の途中まで形成して、内部張出空間３３を設けないところのみ、本体２の幅を狭くするようデザインを採ることもできる。
【００８７】
（３）上記実施形態では、本体２の側面２Ｓを高さ方向の全体にわたって、一枚の蓋部材３０で構成している。しかし、この蓋部材３０は、途中で分割することもでき、側面２Ｓの一部分だけを取り外せるように構成することもできる。例えば、上半分だけに蓋部材を嵌め込み、下半分はケーシングで構成することもできる。
【００８８】
＜特徴＞
（ａ）
壁掛け型室内機１は、本体２の内部張出空間３３に、ステッピングモータ２５が配置される。従来であれば、室内機の形状をできる限り小さくする目的で部品をケーシング内に詰め込むことから、従来のような略直方体状の本体は側面が平坦なため、ステッピングモータ２５の周囲に他の部品が密集するのが一般的である。それに対して、内部張出空間上記実施形態のステッピングモータ２５の周囲が湾曲した蓋部材３０で覆われるため、他の部品の配置されるスペースがなく、ステッピングモータ２５のほぼ全体が露出する。それにより、ステッピングモータ２５の取り付け作業が容易になる。一方、本体２の側面２Ｓの形状が滑らかな曲面状に張り出した形状であるため、本体２の横幅が広がる場合に比べて圧迫感を軽減することができる。
【００８９】
ここで、ステッピングモータ２５は、パネル支持アーム１５を駆動するためのアーム駆動モータである。可動パネル３が位置ずれを起こさないように支持しなければならないパネル支持アーム１５のアーム駆動モータは、正しい位置に配置されることが重要であるから、その取り付け作業が行い易くなることにより、大きな改善効果が見込まれる。アーム駆動モータは、可動部品の一種である。室内機１の可動部品は、リビングなどの動くものも少ない静かな空間に適したものでなければならない。このような可動部品は、可動するという機能を持つため、静止している部品に比べて取り付け作業が行い難いのが一般的である。特に可動部品が大きな駆動力を伝達したり、発生したりしなければならない場合にはこのような傾向が顕著である。このような可動部品の取り付けが容易になることによる作業効率の改善効果は大きい。また、可動部品は、機能部品の一種である。機能部品は、何らかの機能を持つため、その機能を発揮させるように取り付けることが要求される。そのため、このような機能部品の取り付けが容易になることにより大きく作業効率が改善される。
【００９０】
特に、ステッピングモータ２５の周囲を囲んでいる湾曲した蓋部材３０は、取り外すことができる。蓋部材３０が取り外せることから、ステッピングモータ２５のメンテナンスをする場合に、従来のように、ケーシング６を取り外す必要がなくなり、メンテナンスが行い易くなる。また、ステッピングモータ２５のような機能部品を取り付ける作業においても、ケーシング６を被せた状態で作業を行うことができる。例えば、熱交換器には複数のフィンがついており、ケーシング６を被せない状態で作業をすると作業者の怪我の原因にもなるが、そのような不具合を防止して取り付け作業の容易性を向上させることができる。
【００９１】
（ｂ）
パネル支持アーム１５は、本体２の前面２Ｆの全体を覆うとともに本体２の側面２Ｓの一部をも覆う可動パネル３を支持するものである。上記実施形態においては、パネル支持アーム１５が近接空間３３ａに配置される。そのため、内部張出空間３３に配置される機能部品であるステッピングモータ２５と一緒に取り付ける作業を行うことができる。それにより、簡単に正確な位置にパネル支持アーム１５とステッピングモータ２５を取り付けることができ、取り付け作業の工程が簡素化されて、作業効率が向上する。上記実施の形態では、パネル支持アーム１５は、近接空間３３ａに配置されるが、内部張出空間３３に配置される場合あるいは内部張出空間３３と近接空間３３ａに配置される場合であっても作業効率が向上するのは同様である。
【００９２】
このパネル支持アーム１５は、透明な板状部材１９により覆われており、ケース１７の中でパネル支持アーム１５が動く状態を板状部材１９越しに観察することができる。そのため、パネル支持アーム１５の取り付けばかりでなく、メンテナンス時におけるパネル支持アーム１５の動作状態の確認も容易に行える。また、この透明な板状部材１９を透して被駆動ギア２１や駆動ギア２２の動作の確認、またこれらの動作確認から間接的にステッピングモータ２５の動作確認も行える。
【００９３】
（ｃ）
受光素子４１（受光部）は、内部張出空間３３に配置される。そして、押しボタンスイッチ１１を透過してきた赤外線を受光する。受光素子４１が本体２の外部から離れているため室内の環境変化などの影響を受け難くなる。内部張出空間に受光素子４１と制御部があるプリント配線基板４０が配置されるので、受光素子４１とその制御部のあるプリント配線基板４０の取り付け作業や取り外し作業などが行い易くなる。
【符号の説明】
【００９４】
１  壁掛け型室内機
２  本体
２ａ  前面部
２ｂ  奥行き方向中央部
２ｃ  背面部
３  可動パネル
６  ケーシング
１５  パネル支持アーム
２５  ステッピングモータ
３０  蓋部材
４０  プリント配線基板
４１  受光素子
【先行技術文献】
【特許文献】
【００９５】
【特許文献１】特開２００５−９８６７１号公報